【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
一対の電極間に挟持された発光層を含む発光素子において、
前記発光層は、少なくとも有機化合物と、燐光性化合物と、を含み、
前記有機化合物は、ジベンゾ［ｆ，ｈ］キノキサリン骨格と、置換基を２つ有したアミノ基と、がアリーレン基を介して結合した化合物であり、
前記置換基は、それぞれ独立に、アリール基、またはヘテロアリール基である発光素子。
【請求項２】
請求項１において、
前記置換基の少なくとも一方が、カルバゾール骨格を含む発光素子。
【請求項３】
請求項１において、
前記ジベンゾ［ｆ，ｈ］キノキサリン骨格は、２位置換体であり、
前記ジベンゾ［ｆ，ｈ］キノキサリン骨格の２位がアリーレン基を介して前記アミノ基と結合した発光素子。
【請求項４】
一対の電極間に挟持された発光層を含む発光素子において、
前記発光層は、少なくとも有機化合物と、燐光性化合物と、を含み、
前記有機化合物は、式（Ｇ１）で表される発光素子。
【化１】
2013131743.tif 000001
（式中、Ｒ１１〜Ｒ１９は、それぞれ独立に、水素、炭素数１〜４のアルキル基、または炭素数６〜１３の置換もしくは無置換のアリール基を表す。また、Ａｒ１は、炭素数６〜１３の置換または無置換のアリーレン基を表す。また、Ａｒ２は、炭素数６〜１３の置換または無置換のアリール基を表す。また、αは、置換もしくは無置換のフェニレン基、または置換もしくは無置換のビフェニルジイル基を表し、ｎは、０または１を表す。また、Ａは、置換もしくは無置換の９Ｈ−カルバゾール−９−イル基、または置換もしくは無置換の９−アリール−９Ｈ−カルバゾール−３−イル基を表す。）
【請求項５】
一対の電極間に挟持された発光層を含む発光素子において、
前記発光層は、少なくとも有機化合物と、燐光性化合物と、を含み、
前記有機化合物は、式（Ｇ２−１）で表される発光素子。
【化２】
2013131743.tif 000002
（式中、Ｒ１１〜Ｒ１９、およびＲ２１〜Ｒ２８は、それぞれ独立に、水素、炭素数１〜４のアルキル基、または炭素数６〜１３の置換もしくは無置換のアリール基を表す。また、Ａｒ１は、炭素数６〜１３の置換または無置換のアリーレン基を表す。また、Ａｒ２は、炭素数６〜１３の置換または無置換のアリール基を表す。また、αは、置換もしくは無置換のフェニレン基、または置換もしくは無置換のビフェニルジイル基を表す。）
【請求項６】
一対の電極間に挟持された発光層を含む発光素子において、
前記発光層は、少なくとも有機化合物と、燐光性化合物と、を含み、
前記有機化合物は、式（Ｇ３−１）で表される発光素子。
【化３】
2013131743.tif 000003
（式中、Ｒ１１〜Ｒ１９、およびＲ３１〜Ｒ３７は、それぞれ独立に、水素、炭素数１〜４のアルキル基、または炭素数６〜１３の置換もしくは無置換のアリール基を表す。また、Ａｒ１は、炭素数６〜１３の置換または無置換のアリーレン基を表す。また、Ａｒ２、及びＡｒ３は、それぞれ独立に、炭素数６〜１３の置換または無置換のアリール基を表す。また、αは、置換もしくは無置換のフェニレン基、または置換もしくは無置換のビフェニルジイル基を表し、ｎは、０または１を表す。）
【請求項７】
請求項４乃至６のいずれか一において、
前記αが、置換または無置換のパラ−フェニレン基である発光素子。
【請求項８】
請求項４乃至７のいずれか一において、
前記Ａｒ１が、置換もしくは無置換のフェニレン基、または置換もしくは無置換のビフェニルジイル基である発光素子。
【請求項９】
請求項４乃至７のいずれか一において、
前記Ａｒ１が、置換または無置換のパラ−フェニレン基である発光素子。
【請求項１０】
一対の電極間に挟持された発光層を含む発光素子において、
前記発光層は、少なくとも有機化合物と、燐光性化合物と、を含み、
前記有機化合物は、式（Ｇ２−２）で表される発光素子。
【化４】
2013131743.tif 000004
（式中、Ｒ１１〜Ｒ１９、Ｒ２１〜Ｒ２８、Ｒ４１〜Ｒ４４、及びＲ５１〜Ｒ５４は、それぞれ独立に、水素、炭素数１〜４のアルキル基、または炭素数６〜１３の置換もしくは無置換のアリール基を表す。また、Ａｒ２は、炭素数６〜１３の置換または無置換のアリール基を表す。）
【請求項１１】
一対の電極間に挟持された発光層を含む発光素子において、
前記発光層は、少なくとも有機化合物と、燐光性化合物と、を含み、
前記有機化合物は、式（Ｇ３−２）で表される発光素子。
【化５】
2013131743.tif 000005
（式中、Ｒ１１〜Ｒ１９、Ｒ３１〜Ｒ３７、Ｒ４１〜Ｒ４４、及びＲ５１〜Ｒ５４は、それぞれ独立に、水素、炭素数１〜４のアルキル基、または炭素数６〜１３の置換もしくは無置換のアリール基を表す。また、Ａｒ２、及びＡｒ３は、それぞれ独立に、炭素数６〜１３の置換または無置換のアリール基を表す。）
【請求項１２】
一対の電極間に挟持された発光層を含む発光素子において、
前記発光層は、少なくとも有機化合物と、燐光性化合物と、を含み、
前記有機化合物は、式（Ｇ３−３）で表される発光素子。
【化６】
2013131743.tif 000006
（式中、Ｒ１１〜Ｒ１９、Ｒ３１〜Ｒ３７、及びＲ４１〜Ｒ４４は、それぞれ独立に、水素、炭素数１〜４のアルキル基、または炭素数６〜１３の置換もしくは無置換のアリール基を表す。また、Ａｒ２、及びＡｒ３は、それぞれ独立に、炭素数６〜１３の置換または無置換のアリール基を表す。）
【請求項１３】
請求項１乃至１２のいずれか一に記載の発光素子を有する発光装置。
【請求項１４】
請求項１乃至１２のいずれか一に記載の発光素子を有する電子機器。
【請求項１５】
請求項１乃至１２のいずれか一に記載の発光素子を有する照明装置。
【請求項１６】
式（Ｇ１）で表される有機化合物。
【化７】
2013131743.tif 000007
（式中、Ｒ１１〜Ｒ１９は、それぞれ独立に、水素、炭素数１〜４のアルキル基、または炭素数６〜１３の置換もしくは無置換のアリール基を表す。また、Ａｒ１は、炭素数６〜１３の置換または無置換のアリーレン基を表す。また、Ａｒ２は、炭素数６〜１３の置換または無置換のアリール基を表す。また、αは、置換もしくは無置換のフェニレン基、または置換もしくは無置換のビフェニルジイル基を表し、ｎは、０または１を表す。また、Ａは、置換もしくは無置換の９Ｈ−カルバゾール−９−イル基、または置換もしくは無置換の９−アリール−９Ｈ−カルバゾール−３−イル基を表す。）
【請求項１７】
式（Ｇ２−１）で表される有機化合物。
【化８】
2013131743.tif 000008
（式中、Ｒ１１〜Ｒ１９、およびＲ２１〜Ｒ２８は、それぞれ独立に、水素、炭素数１〜４のアルキル基、または炭素数６〜１３の置換もしくは無置換のアリール基を表す。また、Ａｒ１は、炭素数６〜１３の置換または無置換のアリーレン基を表す。また、Ａｒ２は、炭素数６〜１３の置換または無置換のアリール基を表す。また、αは、置換もしくは無置換のフェニレン基、または置換もしくは無置換のビフェニルジイル基を表す。）
【請求項１８】
式（Ｇ３−１）で表される有機化合物。
【化９】
2013131743.tif 000009
（式中、Ｒ１１〜Ｒ１９、およびＲ３１〜Ｒ３７は、それぞれ独立に、水素、炭素数１〜４のアルキル基、または炭素数６〜１３の置換もしくは無置換のアリール基を表す。また、Ａｒ１は、炭素数６〜１３の置換または無置換のアリーレン基を表す。また、Ａｒ２、及びＡｒ３は、それぞれ独立に、炭素数６〜１３の置換または無置換のアリール基を表す。また、αは、置換もしくは無置換のフェニレン基、または置換もしくは無置換のビフェニルジイル基を表し、ｎは、０または１を表す。）
【請求項１９】
請求項１６乃至１８のいずれか一において、
前記αが、置換または無置換のパラ−フェニレン基である有機化合物。
【請求項２０】
請求項１６乃至１９のいずれか一において、
前記Ａｒ１が、置換もしくは無置換のフェニレン基、または置換もしくは無置換のビフェニルジイル基である有機化合物。
【請求項２１】
請求項１６乃至１９のいずれか一において、
前記Ａｒ１が、置換または無置換のパラ−フェニレン基である有機化合物。
【請求項２２】
式（Ｇ２−２）で表される有機化合物。
【化１０】
2013131743.tif 000010
（式中、Ｒ１１〜Ｒ１９、Ｒ２１〜Ｒ２８、Ｒ４１〜Ｒ４４、及びＲ５１〜Ｒ５４は、それぞれ独立に、水素、炭素数１〜４のアルキル基、または炭素数６〜１３の置換もしくは無置換のアリール基を表す。また、Ａｒ２は、炭素数６〜１３の置換または無置換のアリール基を表す。）
【請求項２３】
式（Ｇ３−２）で表される有機化合物。
【化１１】
2013131743.tif 000011
（式中、Ｒ１１〜Ｒ１９、Ｒ３１〜Ｒ３７、Ｒ４１〜Ｒ４４、及びＲ５１〜Ｒ５４は、それぞれ独立に、水素、炭素数１〜４のアルキル基、または炭素数６〜１３の置換もしくは無置換のアリール基を表す。また、Ａｒ２、及びＡｒ３は、それぞれ独立に、炭素数６〜１３の置換または無置換のアリール基を表す。）
【請求項２４】
式（Ｇ３−３）で表される有機化合物。
【化１２】
2013131743.tif 000012
（式中、Ｒ１１〜Ｒ１９、Ｒ３１〜Ｒ３７、及びＲ４１〜Ｒ４４は、それぞれ独立に、水素、炭素数１〜４のアルキル基、または炭素数６〜１３の置換もしくは無置換のアリール基を表す。また、Ａｒ２、及びＡｒ３は、それぞれ独立に、炭素数６〜１３の置換または無置換のアリール基を表す。）